【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
矩形状の光射出面、前記光射出面の対向する２つの長辺をそれぞれ含み互いに対向する位置に配置される２つの光入射面、これらの２つの光入射面から前記光射出面の中央に向かうに従ってそれぞれ前記光射出面からの距離が遠くなる対称な２つの傾斜面、これらの２つの傾斜面を接合する湾曲部を備え、その内部に伝搬する光を散乱する散乱粒子を含む導光板と、
前記導光板の２つの前記光入射面に対向してそれぞれ配置された２つの光源と、
前記光源と前記導光板とを、前記光源と前記導光板の前記光入射面との間の距離を一定にして固定して一体化する固定手段と、
前記固定手段によって一体化された前記光源および前記導光板を収納する筐体と、
前記筐体と前記固定手段との間に設けられ、前記導光板の前記光入射面から前記光源に向かう方向において、前記導光板の伸縮に応じて、前記光源と前記導光板とを一体化し、前記光源と前記導光板の前記光入射面との間の距離を一定にしたまま、前記筐体に対して前記固定手段を摺動させるすべり機構とを有し、
前記導光板は、前記２つの光入射面間の長さが、４８０ｍｍ以上８３０ｍｍ以下であり、
前記散乱粒子の粒径が、４．０μｍ以上１２．０μｍ以下であり、
前記散乱粒子の濃度が、０．００８ｗｔ％以上０．２５ｗｔ％以下であり、
前記２つの光入射面から入射した光が前記光射出面から射出された割合を示す光の利用効率が５５％以上であり、
前記光射出面の前記光入射面近傍から射出する光の輝度に対する前記光射出面の中央部から射出する光の輝度の割合を示す前記光射出面の輝度分布の中高度合が、０％より大きく２５％以下であることを特徴とする面状照明装置。
【請求項２】
前記導光板は、
その厚みが最も薄い前記光入射面の厚みが、０．５ｍｍ以上３．０ｍｍ以下であり、
前記厚みが最も厚い前記湾曲部の中央の厚みが、１．０ｍｍ以上６．０ｍｍ以下であり、
前記湾曲部の曲率半径が、１，５００ｍｍ以上４５，０００ｍｍ以下であり、
前記光射出面に平行な線に対する前記傾斜面のテーパが、０．１°以上２．２°以下である請求項１に記載の面状照明装置。
【請求項３】
前記導光板は、前記光射出面が前記傾斜面側に凸の曲面で構成され、
前記光射出面の曲率半径が５５０００ｍｍ以上、１２００００ｍｍ以下であり、
前記湾曲部の曲率半径が１００００ｍｍ以上、５５０００ｍｍ以下であることを特徴とする請求項１に記載の面状照明装置。
【請求項４】
前記導光板は、前記光射出面の前記光入射面側の端部における前記光射出面の接線に平行な線と前記傾斜面とのなす角が、０．１°以上、２．２°以下である請求項３に記載の面状照明装置。
【請求項５】
前記導光板は、前記傾斜面と前記湾曲部との接続部における前記湾曲部の接線と、前記接続部を通り前記光入射面に平行な直線と前記光射出面との交点における前記光射出面の接線となす角が、前記光射出面の前記光入射面側の端部における前記光射出面の接線に平行な線と、前記傾斜面とのなす角と等しい請求項３または４に記載の面状照明装置。
【請求項６】
前記固定手段は、前記導光板の前記光入射面から前記光源に向かう方向と直交する方向において、前記導光板の伸縮に応じて前記筐体に対して摺動可能に前記光源と前記導光板とを一体化するものである請求項１〜５のいずれかに記載の面状照明装置。
【請求項７】
前記すべり機構は、前記筐体をネジ止めする応力によって前記固定手段を挟み込む摺動部材からなり、
前記摺動部材と前記固定手段との静止摩擦係数をμとし、前記ネジ止め位置から距離ｘだけ離れた位置における前記ネジ止めによる応力分布をＧ（ｘ）とすると、前記ネジ止め位置から距離ｘだけ離れた位置における前記摺動部材と前記固定手段との摩擦力Ｔ（ｘ）は、下記式で表され、
Ｔ（ｘ）＝μ・Ｇ（ｘ）
また、前記導光板のヤング率をＹとし、前記導光板の平均断面積をＡａｖｅとし、前記導光板の長さをＬとし、前記導光板の伸縮長さをΔＬとすると、前記導光板の伸縮による力Ｆは、下記式で表されるとき、
Ｆ＝Ｙ・Ａａｖｅ・（ΔＬ／Ｌ）
前記摺動部材は、前記筐体をネジ止めした位置から下記式
Ｔ（ｘ）＝μ・Ｇ（ｘ）＜Ｆ＝Ｙ・Ａａｖｅ・（ΔＬ／Ｌ）
を満足する位置ｘに配置されることを特徴とする請求項１〜６のいずれかに記載の面状照明装置。
【請求項８】
前記導光板は、線膨張率が、１／１０００＜ΔＬ／Ｌ＜５／１０００を満たし、かつ、ヤング率は、１．５ＭＮ／ｍ２＜Ｙ＜３ＭＮ／ｍ２を満たすことを特徴とする請求項７に記載の面状照明装置。
【請求項９】
さらに、前記筐体と一方の前記光源との間に設けられ、光射出面に垂直な方向における、前記光射出面および前記一方の光源と前記筐体との距離を一定にしたまま、前記導光板の伸縮に応じて、前記一方の光源を前記筐体に対して前記導光板の前記光入射面から前記光源に向かう方向に摺動させるガイド手段を有する請求項１〜８のいずれかに記載の面状照明装置。
【請求項１０】
前記一方の光源は、他方の前記光源に対して、鉛直方向下側に配置される請求項９に記載の面状照明装置。
【請求項１１】
前記固定手段は、前記光源に固定された突出部と、
前記導光板の前記光射出面および前記傾斜面の少なくとも一方の表面に固定された板状部材であり、前記突出部と係合し、前記導光板を前記突出部に係合させる補強部材とで構成される請求項９または１０に記載の面状照明装置。
【請求項１２】
前記固定手段は、前記光源の発光面以外の面を被い前記光源を支持する固定部材を有し、
前記ガイド手段は、前記固定部材を、前記筐体に対して前記導光板の前記光入射面から前記光源に向かう方向に移動可能に支持することで、前記光源を移動可能に支持する請求項９〜１１のいずれかに記載の面状照明装置。
【請求項１３】
前記ガイド手段は、前記光源の長手方向に直交する両面にそれぞれ配置されている２つのガイド部である請求項９〜１２のいずれかに記載の面状照明装置。
【請求項１４】
前記光源と前記筐体との間に介在する部材同士の全てが、放熱グリスを介して接触している請求項１〜１３のいずれかに記載の面状照明装置。
【請求項１５】
前記導光板の矩形状の光射出面は、その表面が凹面である請求項１〜１４のいずれかに記載の面状照明装置。
【請求項１６】
前記導光板は、前記光射出面の表面に設けた凹面内にフィルム状の光学部材を収容してなる請求項１５に記載の面状照明装置。
【請求項１７】
前記導光板の光反射面は、前記導光板の前記光射出面に対向する側に凸の曲面で構成されている、請求項１６に記載の面状照明装置。
【手続補正２】
【補正対象書類名】明細書
【補正対象項目名】００１５
【補正方法】変更
【補正の内容】
【００１５】
上記課題を解決するために、本発明は、矩形状の光射出面、前記光射出面の対向する２つの長辺をそれぞれ含み互いに対向する位置に配置される２つの光入射面、これらの２つの光入射面から前記光射出面の中央に向かうに従ってそれぞれ前記光射出面からの距離が遠くなる対称な２つの傾斜面、これらの２つの傾斜面を接合する湾曲部を備え、その内部に伝搬する光を散乱する散乱粒子を含む導光板と、前記導光板の２つの前記光入射面に対向してそれぞれ配置された２つの光源と、前記光源と前記導光板とを、前記光源と前記導光板の前記光入射面との間の距離を一定にして固定して一体化する固定手段と、前記固定手段によって一体化された前記光源および前記導光板を収納する筐体と、前記筐体と前記固定手段との間に設けられ、前記導光板の前記光入射面から前記光源に向かう方向において、前記導光板の伸縮に応じて、前記光源と前記導光板とを一体化し、前記光源と前記導光板の前記光入射面との間の距離を一定にしたまま、前記筐体に対して前記固定手段を摺動させるすべり機構とを有し、前記導光板は、前記２つの光入射面間の長さが、４８０ｍｍ以上８３０ｍｍ以下であり、前記散乱粒子の粒径が、４．０μｍ以上１２．０μｍ以下であり、前記散乱粒子の濃度が、０．００８ｗｔ％以上０．２５ｗｔ％以下であり、前記２つの光入射面から入射した光が前記光射出面から射出された割合を示す光の利用効率が５５％以上であり、前記光射出面の前記光入射面近傍から射出する光の輝度に対する前記光射出面の中央部から射出する光の輝度の割合を示す前記光射出面の輝度分布の中高度合が、０％より大きく２５％以下であることを特徴とする面状照明装置を提供するものである。
【手続補正３】
【補正対象書類名】明細書
【補正対象項目名】００１７
【補正方法】変更
【補正の内容】
【００１７】
さらに、前記導光板は、前記傾斜面と前記湾曲部との接続部における前記湾曲部の接線と、前記接続部を通り前記光入射面に平行な直線と前記光射出面との交点における前記光射出面の接線となす角が、前記光射出面の前記光入射面側の端部における前記光射出面の接線に平行な線と、前記傾斜面とのなす角と等しいことが好ましい。
前記固定手段は、前記導光板の前記光入射面から前記光源に向かう方向と直交する方向において、前記導光板の伸縮に応じて前記筐体に対して摺動可能に前記光源と前記導光板とを一体化するものであることが好ましい。
【手続補正４】
【補正対象書類名】明細書
【補正対象項目名】００２０
【補正方法】変更
【補正の内容】
【００２０】
また、前記一方の光源は、他方の前記光源に対して、鉛直方向下側に配置されることが好ましい。また、前記固定手段は、前記光源に固定された突出部と、前記導光板の前記光射出面および前記傾斜面の少なくとも一方の表面に固定された板状部材であり、前記突出部と係合し、前記導光板を前記突出部に係合させる補強部材とで構成されることが好ましい。また、前記固定手段は、前記光源の発光面以外の面を被い前記光源を支持する固定部材を有し、前記ガイド手段は、前記固定部材を、前記筐体に対して前記導光板の前記光入射面から前記光源に向かう方向に移動可能に支持することで、前記光源を移動可能に支持することが好ましい。また、前記ガイド手段は、前記光源の長手方向に直交する両面にそれぞれ配置されている２つのガイド部であることが好ましい。
前記導光板は、前記光射出面の表面に設けた凹面内にフィルム状の光学部材を収容してなることが好ましい。
また、前記導光板の矩形状の光射出面は、その表面が凹面であることが好ましい。
また、前記導光板は、前記光射出面の表面に設けた凹面内にフィルム状の光学部材を収容してなることが好ましい。
また、前記導光板の前記光射出面に対向する光反射面は、前記光射出面から見て前記反射面側に凸の曲面で構成されていてもよい。
【手続補正５】
【補正対象書類名】明細書
【補正対象項目名】００２１
【補正方法】変更
【補正の内容】
【００２１】
また、前記導光板は、前記２つの光入射面間の導光長が、３００ｍｍ以上３２０ｍｍ以下であり、前記散乱粒子の粒径が、４．０μｍ以上、１２．０μｍ以下、前記散乱粒子の濃度が、０．１ｗｔ％以上、０．７６ｗｔ％以下であり、かつ、前記散乱粒子の粒径および濃度が、前記散乱粒子の粒径（μｍ）を横軸とし、前記散乱粒子の粒子濃度（ｗｔ％）を縦軸とするグラフにおいて、６点（４．０，０．１）、（４．０，０．３２）、（７．０，０．１４）、（７．０，０．５）、（１２．０，０．２５）および（１２．０，０．７６）で囲まれる領域内にあることが好ましい。
また、前記導光板は、前記２つの光入射面間の導光長が、４８０ｍｍ以上５００ｍｍ以下であり、前記散乱粒子の粒径が、４．０μｍ以上、１２．０μｍ以下、前記散乱粒子の濃度が、０．０２ｗｔ％以上、０．２２ｗｔ％以下であり、かつ、前記散乱粒子の粒径および濃度が、前記散乱粒子の粒径（μｍ）を横軸とし、前記散乱粒子の粒子濃度（ｗｔ％）を縦軸とするグラフにおいて、６点（４．０，０．０２）、（４．０，０．０８５）、（７．０，０．０３）、（７．０，０．１２）、（１２．０，０．０６）および（１２．０，０．２２）で囲まれる領域内にあることが好ましい。
また、前記導光板は、前記２つの光入射面間の導光長が、５１５ｍｍ以上６２０ｍｍ以下であり、前記散乱粒子の粒径が、４．０μｍ以上、１２．０μｍ以下、前記散乱粒子の濃度が、０．０１５ｗｔ％以上、０．１６ｗｔ％以下であり、かつ、前記散乱粒子の粒径および濃度が、前記散乱粒子の粒径（μｍ）を横軸とし、前記散乱粒子の粒子濃度（ｗｔ％）を縦軸とするグラフにおいて、６点（４．０，０．０１５）、（４．０，０．０６５）、（７．０，０．０２）、（７．０，０．０９）、（１２．０，０．０３５）および（１２．０，０．１６）で囲まれる領域内にあることも好ましい。
【手続補正６】
【補正対象書類名】明細書
【補正対象項目名】００８８
【補正方法】変更
【補正の内容】
【００８８】
次に、固定手段３１について説明する。
固定手段３１は、光源２８と導光板３０とを固定して一体化する固定部材３１ａと、光源２８を固定部材３１ａに固定する複数のネジ３１ｂ、３１ｃと、導光板３０を固定部材３１ａに固定する複数の固定ピン３１ｄ、３１ｅとを有する。
固定部材３１ａは、光源２８と導光板３０との光軸距離および光軸垂直距離を一定に保って光源２８と導光板３０とを固定して一体化し、導光板３０の伸縮に対応して、すべり機構４８によって、摺動部材固定部材４８ａ，４８ｄによって筐体４０に固定された上部摺動部材４８ｂおよび下部摺動部材４８ｃ上を摺動させるためのものである。固定部材３１ａは、断面形状がＵ字型をした柱状部材である。
【手続補正７】
【補正対象書類名】明細書
【補正対象項目名】０１２７
【補正方法】変更
【補正の内容】
【０１２７】
ここで、図１６（Ａ）及び（Ｂ）に示すように、光射出面１００ａの曲率半径Ｒ０は、湾曲部１００ｈの曲率半径Ｒｒよりも大きく、かつ、光射出面１００ａの曲率半径Ｒ０が５５０００ｍｍ以上、１２００００ｍｍ以下であり、湾曲部１００ｈの曲率半径Ｒｒが１００００ｍｍ以上、５５０００ｍｍ以下であることが好ましい。
光射出面１００ａおよび湾曲部１００ｈの曲率半径を上記範囲とすることで、導光板１００の光射出面１００ａを反射板側に凸となる凹面とした場合でも、好適に傾斜面１００ｂと湾曲部１００ｈとの接続部における湾曲部１００ｈの接線と、接続部を通り光入射面１００ｄに平行な直線と光射出面１００ａとの交点における光射出面１００ａの接線とのなす角を光射出面が平面である場合と同等にでき、導光板１００の奥まで光を伝播させることができる。
また、湾曲部１００ｈの曲率半径は、光射出面が平面で湾曲部以外の形状が同じである導光板の湾曲部の曲率半径よりも、曲率半径を小さくすることが好ましい。
また、湾曲部１００ｈの曲率半径以外の各種寸法、粒子径、粒子濃度は、上述した範囲と同様の範囲とすることが好ましい。
【手続補正８】
【補正対象書類名】明細書
【補正対象項目名】０１２９
【補正方法】変更
【補正の内容】
【０１２９】
また、導光板の光射出面を曲面とする場合は、傾斜面１００ｂ（または１００ｃ）と湾曲部１００ｈとの接続部における湾曲部１００ｈの接線と接続部を通り光入射面１００ｄに平行な直線と光射出面１００ａとの交点における光射出面１００ａの接線となす角が、光射出面１００ａの光入射面側の端部における光射出面１００ａの接線に平行な線と傾斜面１００ｂ（または１００ｃ）とのなす角に等しい形状とすることが好ましい。なお、上記の接線、線と線とのなす角は、光射出面と光入射面との接線に垂直な面上における接線、線と線とのなす角である。また、この場合は、湾曲部と傾斜面との接続部が滑らかには接続されてなくても良い。
上記２つのなす角の角度が等しい形状の導光板とすることで、導光板内部での光線の反射角度を光射出面が平坦な導光板と同等とし、導光板に入射された光の光路を光射出面が平坦な導光板と同等とすることができる。これにより、光射出面を曲面とした場合も出射光の強度分布を光射出面が平坦な導光板と同様の強度分布とすることができる。さらに、平坦な導光板と同様の強度分布とすることができることで、光射出面から光の利用効率を高くでき、中高率が良好な光を射出することができる。
【手続補正９】
【補正対象書類名】明細書
【補正対象項目名】０１３０
【補正方法】変更
【補正の内容】
【０１３０】
さらに、光射出面を曲面とする場合は、光射出面が平坦であるが、光利用効率および中高率が良好な導光板を基準として、傾斜面と湾曲部との接続部における湾曲部の接線と、接続部を通り光入射面に平行な直線と光射出面との交点における光射出面の接線とのなす角を設定することが好ましい。
具体的には、傾斜面と湾曲部との接続部における湾曲部の接線と、接続部を通り光入射面に平行な直線と光射出面との交点における光射出面の接線とのなす角は、基準とした光射出面を平坦とした場合の導光板の光射出面に平行な線と、湾曲部と傾斜面との接続部における前記湾曲部の接線とのなす角よりも大きくまたは等しくすることで、光の利用効率や中高率を基準とした光射出面を平坦とした場合の導光板と同等にすることができる。
例えば、光射出面が曲面、光射出面のサイズが４２インチで、導光長Ｌを５５０ｍｍとし、最小厚さ（入光部の厚み）を２ｍｍとし、光射出面の曲率半径を７５，０００ｍｍとし、傾斜面のテーパ角を、０．４２°としてもよい。また、湾曲部の曲率半径を、１５，０００ｍｍとして、導光板中央部からの距離２００ｍｍの位置を傾斜面と湾曲部との接続部とし、最大厚さ（中央部の厚み）を、３．９ｍｍとした光利用効率が６０％、中高率が８７％の導光板を基準にして、導光長Ｌを５５０ｍｍとし、最小厚さ（入光部の厚み）を２ｍｍとし、光射出面の曲率半径を７５，０００ｍｍとし、傾斜面のテーパ角（つまり、光射出面と光入射面の接線を結んだ平坦面と平行な面と傾斜面とのなす角）を０．６２°（ここで、光射出面の曲率半径７５，０００ｍｍの端面部における傾斜角度は０．２°であるので、光入射面の端部における光射出面の接線と傾斜面とのなす角は、０．４２°となる。）としてもよい。また、湾曲部の曲率半径を、１０，０００ｍｍとして、導光板中央部からの距離２００ｍｍの位置を傾斜面と湾曲部との接続部とし最大厚さ（中央部の厚み）を、３．９ｍｍとした導光板とし、傾斜面１００ｂ（または１００ｃ）と湾曲部１００ｈとの接続部における湾曲部１００ｈの接線と、接続部を通り光入射面に平行な直線と光射出面との交点における光射出面の接線とのなす角を、基準とした導光板の光射出面に平行な線と、湾曲部と傾斜面との接続部における前記湾曲部の接線とのなす角よりも大きくすることで、傾斜面および湾曲部を内部での全反射成分がより奥に届きやすい角度することができ、出射光の強度分布を、より中高にでき、光の利用効率や中高率を基準とした光射出面を平坦とした場合の導光板と同等（つまり、光利用効率を６０％、中高率を８７％）にすることができる。
【手続補正１０】
【補正対象書類名】明細書
【補正対象項目名】０１６６
【補正方法】変更
【補正の内容】
【０１６６】
上主光源２１０は、導光板３０の第１光入射面３０ｄに対向して配置され、下主光源２１２は、導光板３０の第２光入射面３０ｅに対向して配置されている。ここで、導光板３０は、第１光入射面３０ｄが第２光入射面３０ｅよりも鉛直方向上側となる向きに配置されているため、上主光源２１０は、下主光源２１２よりも鉛直方向上方に配置される。
上主光源２１０は、複数のＬＥＤチップ５０と、光源支持部２２０とを有し、光源支持部２２０の第１光入射面３０ｄに対向する面上に複数のＬＥＤチップ５０が列状に配置されている。
下主光源２１２は、複数のＬＥＤチップ５０と、光源支持部２２２とを有し、光源支持部２２２の第２光入射面３０ｅに対向する面上に複数のＬＥＤチップ５０が列状に配置されている。また、本実施形態の光源支持部２２０、２２２は、板状の部材である。なお、上主光源２１０、下主光源２１２は、光源支持部２２０、２２２の端部から端部（後述する補強部材に対応する領域）までＬＥＤが配置されている。
光源支持部２２０は、また、光源支持部２２０には、後述する筐体に固定された３つの固定ピンと係合する丸穴２２０ａおよび２つの長穴２２０ｂ、２２０ｃを有している。この丸穴２２０ａは、光射出面３０ａに平行な面の中心に形成されている。また、２つの長穴２２０ｂ、２２０ｃは、それぞれ丸穴２２０ａに対して所定距離離間した位置に、光源支持部２２０の長手方向が長軸方向となる向きで形成されている。また、長穴２２０ｂと長穴２２０ｃとは、丸穴２２０ａを通り、導光板の二等分線αに直交する面を軸として対称に形成されている。
また、光源支持部２２０には、長手方向の一方の端部に後述する固定ピン２３６と係合する丸穴２２０ｄと、長手方向の他方の端部に後述する固定ピン２３８と係合する長穴２２０ｅが形成されている。
また、光源支持部２２２には、長手方向の一方の端部に後述する固定ピン２４６と係合する丸穴２２０ｄと、長手方向の他方の端部に後述する固定ピン２４８と係合する丸穴２２０ｅが形成されている。
【手続補正１１】
【補正対象書類名】明細書
【補正対象項目名】０１６７
【補正方法】変更
【補正の内容】
【０１６７】
第１固定手段２１４は、固定端２２４と、第１補強部材２２６、２２８と、固定ピン２３０、２３２、２３４、２３６、２３８とを有する。
固定端２２４は、上述した固定端７４と同様に、断面形状がＵ字型をした柱状部材であり、下部筐体と上部筐体とに押さえつけられて筐体に保持されている。また、固定端２２４は、長手方向には摺動可能な状態で下部筐体と上部筐体とに保持されている。
固定端２２４は、Ｕ字型の内部に上主光源２１０が配置されており、上主光源２１０の光源支持部２２０の丸孔２２０ａ、２２０ｄ、２２０ｅ、長穴２２０ｂ、２２０ｃのそれぞれに対応して、丸穴２２４ａ、２２４ｄ、２２４ｅ、長穴２２４ｂ、２２４ｃが形成されている。
【手続補正１２】
【補正対象書類名】明細書
【補正対象項目名】０１６８
【補正方法】変更
【補正の内容】
【０１６８】
第１補強部材２２６は板状部材であり、その第１光入射面３０ｄ側の一端が導光板３０の角隅３０ｉ近傍で光射出面３０ａに固定されている。また、第１補強部材２２６の他端は、光源支持部２２０に対向する位置まで延びており、丸穴２２０ｄに対向する位置に丸穴２２６ａが形成されている。
また、第１補強部材２２８は、板状部材であり、第１光入射面３０ｄ側の一部が光射出面３０ａよりも外側に突出した状態で、導光板３０の角隅３０ｊ近傍の光射出面３０ａ上に固定されている。また、第１補強部材２２８は、光射出面３０ａよりも外側に突出した部分が、光源支持部２２０に対向する位置まで延びており、丸穴２２０ｅに対向する位置に光源支持部２２０の長手方向が長軸方向となる向きで長穴２２８ａが形成されている。
なお、第１補強部材２２６および第１補強部材２２８は、本実施形態では、接着剤により接着させせることで導光板に固定されている。第１補強部材は、スーパーエンジニアプラスチックまたは金属で形成することが好ましい。ここで、金属としては、アルミ合金、ステンレス等が例示される。補強部材を、スーパーエンジニアプラスチックまたは金属で形成することで、剛性を高くすることができ、変形しにくくすることができ、また、湿度や熱による変形も少なくすることができる。
ここで、本実施形態では、補強部材を導光板の光射出面上に設けたが本発明はこれに限定されず、導光板の背面上（つまり、第１傾斜面上および第２傾斜面上）に補強部材を設けてもよい。また、補強部材を光射出面上と背面上の両面に設けてもよい。補強部材を光射出面上と背面上の両面に設けることで、より確実に補強部材により導光板を支持することができ、導光板が変形すること、破損することをより確実に防止することができる。
【手続補正１３】
【補正対象書類名】明細書
【補正対象項目名】０１７０
【補正方法】変更
【補正の内容】
【０１７０】
固定ピン２３６は、光源支持部２２０の丸穴２２０ｄ、固定端２２４の丸穴２２４ｄに挿通されて固定されており、さらに、光源支持部２２０と固定端２２４との間に挿入されている第１補強部材２２６の丸穴２２６ａに挿通されている。
固定ピン２３８は、光源支持部２２０の丸穴２２０ｅ、固定端２２４の丸穴２２４ｅに挿通されて固定されており、さらに、光源支持部２２０と固定端２２４との間に挿入されている第１補強部材２２８の長穴２２８ａに挿通されている。
【手続補正１４】
【補正対象書類名】明細書
【補正対象項目名】０１７１
【補正方法】変更
【補正の内容】
【０１７１】
第１固定手段２１４は、以上のような構成であり、第１補強部材２２６の丸穴２２６ａに固定ピン２３６を挿通して、導光板３０に接合している第１補強部材２２６を第１光入射面３０ｄと光射出面３０ａとの接線に平行な方向の位置を固定し、導光板３０に接合している第１補強部材２２８の長穴２２８ａに固定ピン２３８を挿通して、第１補強部材２２８を第１光入射面３０ｄと光射出面３０ａとの接線に平行な方向に移動可能とすることで、導光板３０を、上主光源２１０および固定端２２４に対して第１光入射面３０ｄと光射出面３０ａとの接線に平行な方向に伸縮可能な状態で、支持することができる。また、第１補強部材２２６と第１補強部材２２８により、光入射面３０ｄに垂直な方向の距離を一定とすることで、上主光源２１０と光入射面３０ｄとの距離を一定にすることができる。
また、光源支持部２２０と固定端２２４の、固定ピン２３０が挿通される穴を丸穴とし、固定ピン２３２、２３４が挿通される穴を長穴とすることで、光源支持部２２０と固定端２２４を、筐体に対して第１光入射面３０ｄと光射出面３０ａとの接線に平行な方向に伸縮可能な状態で、筐体に固定することができる。光源支持部２２０と固定端２２４を伸縮可能な状態で筐体に固定することで、伸縮が抑制されて、光源支持部２２０と固定端２２４に反りが生じることを防止できる。
なお、本実施形態では、固定端２２４を、固定ピンを介すると同時に下部筐体と上部筐体とに押さえつけるようにして筐体に保持したが、固定端を固定ピン以外では筐体に対して保持されていない構成としてもよい。
また、固定ピンは、光源支持体、第１補強部材、固体端が固定ピンに対して位置ずれしないように、位置によって太さを変えたり、テーパ形状としたり、ストッパを設けてもよい。また、固定ピンは、長穴とは、摺動可能に係合させ、丸穴とは、ずれないように嵌合させるようにしてもよい。
【手続補正１５】
【補正対象書類名】明細書
【補正対象項目名】０１７２
【補正方法】変更
【補正の内容】
【０１７２】
次に、第２固定手段２１６は、固定部材２４０と、第２補強部材２４２、２４４と、固定ピン２４６、２４８とを有する。
固定部材２４０は、筐体に対して移動可能な状態で配置されている。固定部材２４０は、断面形状がＵ字型をした柱状部材であり、内部に下主光源２１２が配置されている。また、固定部材２４０は、後述する固定ピン２４６、２４８を介して、下主光源２１２を固定部材２４０内の所定位置に固定している。
また、固定部材２４０には、下主光源２１２の光源支持部２２２の丸孔２２２ａ、２２０ｂのそれぞれに対応して、丸穴２４０ａ、２４０ｂが形成されている。
第２補強部材２４２は、板状部材であり、第２光入射面３０ｅ側の一部が光射出面３０ａよりも外側に突出した状態で、導光板３０の角隅３０ｋ近傍の光射出面３０ａ上に固定されている。また、第２補強部材２４２は、光射出面３０ａよりも外側に突出した部分が、光源支持部２２２に対向する位置まで延びており、丸穴２２２ａに対向する位置に丸穴２４２ａが形成されている。
また、第２補強部材２４４は、板状部材であり、第２光入射面３０ｅ側の一部が光射出面３０ａよりも外側に突出した状態で、導光板３０の角隅３０ｌ近傍の光射出面３０ａ上に固定されている。また、第２補強部材２４４は、光射出面３０ａよりも外側に突出した部分が、光源支持部２２２に対向する位置まで延びており、丸穴２２２ｂに対向する位置に光源支持部２２２の長手方向が長軸方向となる向きで長穴２４４ａが形成されている。
なお、第２補強部材２４２および第２補強部材２４４は、上述した第１補強部材と同様の構成であり、本実施形態では、接着剤により接着させせることで導光板に固定されている。
【手続補正１６】
【補正対象書類名】明細書
【補正対象項目名】０１７３
【補正方法】変更
【補正の内容】
【０１７３】
固定ピン２４６は、光源支持部２２２の丸穴２２２ａ、固定部材２４０の丸穴２４０ａに挿通されて固定されており、さらに、光源支持部２２２と固定部材２４０との間に挿入されている第２補強部材２４２の丸穴２４２ａに挿通されている。
固定ピン２４８は、光源支持部２２２の丸穴２２２ｂ、固定部材２４０の丸穴２４０ｂに挿通されて固定されており、さらに、光源支持部２２２と固定部材２４０との間に挿入されている第２補強部材２４２の長穴２４２ａに挿通されている。
【手続補正１７】
【補正対象書類名】明細書
【補正対象項目名】０１７４
【補正方法】変更
【補正の内容】
【０１７４】
第２固定手段２１６は、以上のような構成であり、第２補強部材２４２の丸穴２４２ａに固定ピン２４６を挿通して、導光板３０に接合している第２補強部材２４２の第２光入射面３０ｅと光射出面３０ａとの接線に平行な方向の位置を固定し、第２補強部材２４４の長穴２４４ａに固定ピン２４８を挿通して、導光板３０に接合している第２補強部材２４４を第２光入射面３０ｅと光射出面３０ａとの接線に平行な方向に移動可能とすることで、導光板３０を、下主光源２１２および固定部材２４０に対して第２光入射面３０ｅと光射出面３０ａとの接線に平行な方向に伸縮可能な状態で、支持することができる。また、第２補強部材２４２と第２補強部材２４４により、第２光入射面３０ｅに垂直な方向の距離を一定とすることで、下主光源２１２と第２光入射面３０ｅとの距離を一定にすることができる。
また、下主光源２１２を支持する第２固定手段２１６を筐体に対して移動可能とすることで、下主光源２１２と第２固定手段２１６は、導光板３０の第２光入射面３０ｅに垂直な方向（本実施形態では、吊り下げ方向）の伸縮した場合でも、第２光入射面３０ｅと下主光源２１２との距離を一定に維持したまま導光板の伸縮にあわせて移動させることができる。これにより、導光板の伸縮が抑制され、導光板に応力がかかり、導光板が反ることを防止しつつ、光源と光入射面の距離を一定に維持することができる。
これにより自重、熱等により導光板が、鉛直方向下側に延びた場合は第２固定手段２１６が伸縮にあわせて移動することができるため、伸びが抑制されて撓み、反りが発生することを防止できる。
【手続補正１８】
【補正対象書類名】明細書
【補正対象項目名】０１７９
【補正方法】変更
【補正の内容】
【０１７９】
以上のように、面状照明装置１３０は、ガイド手段２１８として、光源支持部を光軸方向に移動可能かつ、光射出面３０ａと第２光入射面３０ｅとの接線方向に伸縮可能にした状態で、光源支持部２２０，２２２が射出面に直交する方向に移動することを防止するガイド部材２５０を、光源支持部２２０の側面、光源支持部２２２の側面の４箇所に設けることで、光源支持部２２０、２２２が光射出面に直交する方向に移動すること防止することができる。
これにより、光源支持部２２０を支持している第１固定手段２１４、光源支持部２２２を支持している第２固定手段２１６が光射出面に直交する方向に移動すること防止し、第１固定手段２１４および第２固定手段２１６に係合されている導光板の光射出面が光射出面に直交する方向に移動することを防止できる。
これにより、光射出面に直交する方向における、筐体内の光射出面の位置を固定することができる。光射出面と液晶表示パネルとの距離を一定にすることができ、輝度むらのない好適な画像を表示させることができる。また、光射出面３０ａの反り、および、光射出面３０ａの光出射面３０ａに垂直な方向へのとび出しを防ぐことができ、面状照明装置１３０を薄くすることができる。これにより液晶表示装置を薄くすることができる。
【手続補正１９】
【補正対象書類名】明細書
【補正対象項目名】０１８４
【補正方法】変更
【補正の内容】
【０１８４】
また、上記実施形態では、光源支持部とガイド部材とを係合させたが、本発明はこれに限定されず、固定部材の長手方向の端部や、固定端の長手方向の端部に溝を設け、固定部材とガイド部材とを係合させても、固定端とガイド部材とを係合させてもよい。
また、筐体に対して光源または、固定手段、導光板を光射出面に垂直な方向に移動することが防止でき、かつ、その他の方向へは移動可能な状態で支持することができれば、ガイドの配置位置は、特に限定されず、例えば、固定部材の導光板側とは反対側の面から、固定部材を支持するようにしてもよい。
【手続補正２０】
【補正対象書類名】明細書
【補正対象項目名】０１８８
【補正方法】変更
【補正の内容】
【０１８８】
図２４に示す面状照明装置３００は、２つの副光源３１０、３１２と導光板３０とを一定距離となるようにする２つの第３固定手段３１４、３１６を有すること、およびガイド手段３１８を除いて他の構成は、面状照明装置１３０と同様であるので、同一の部材には同一の符号を付してその説明は省略し、以下、面状照明装置３００に特有の点を説明する。
面状照明装置３００は、上主光源２１０および下主光源２１２と、副光源３１０、３１２と、導光板３０と、第１固定手段２１４と、第２固定手段２１６と、第３固定手段３１４、３１６と、ガイド手段３１８とを有している。また、図示は省略したが、面状照明装置３００も、面状照明装置１３０と同様に、光学部材ユニット、反射板、下部筐体、上部筐体、補強部材（筐体補強部材）を有する。
【手続補正２１】
【補正対象書類名】明細書
【補正対象項目名】０１９４
【補正方法】変更
【補正の内容】
【０１９４】
ガイド手段３１８は、６つのガイド部材２５０を有し、導光板の３０の角隅３０ｉ側の第１固定手段２１４の光源支持部２２０の側面、導光板の３０の角隅３０ｊ側の第３固定手段３１６の固定部材３２２の導光板側のとは反対側の面、導光板３０の角隅３０ｋ側の第２固定手段の光源支持部２２２の側面および第２固定手段の固定部材２４０の導光板側のとは反対側の面、導光板３０の角隅３０ｌ側の第３固定手段３１６の固定部材３２２の導光板側のとは反対側の面にそれぞれ配置されている。
ガイド部材２５０は、上述した面状照明装置１３０のガイド部材２５０と同様の構成であるので、詳細な説明は省略する。
また、前記光源支持部２１０，２２２，３２０のガイド部材２５０に対向する部分には、ガイド部材２５０に対応して溝が形成されており、ガイド部材２５０の凸部とこの溝とが係合している。
ガイド部材２５０は、それぞれ、光源支持部２１０，２２２，３２０が、光軸方向および光射出面３０ａと第２光入射面３０ｅとの接線方向には移動可能な状態で、かつ、光射出面３０ａに直交する方向には移動できないように、前述の各光源支持部と係合している。
このように導光板の４つの角隅に対応する位置にガイド部材を設けることで、導光板の光射出面が光射出面に直交する方向に移動することを防止できる。
なお、本実施形態の場合も、ガイド手段３１８は、ガイド部材２５０を少なくとも導光板の角隅３０ｋおよび角隅３０ｌの２箇所に配置すればよい。
【手続補正２２】
【補正対象書類名】明細書
【補正対象項目名】０２０４
【補正方法】変更
【補正の内容】
【０２０４】
また、図２６に示すように、放熱グリスを塗布した場合、５５分後において、放熱グリスを全く塗布しない場合に比べ、光源２８の温度は１０℃低くすることができ、輝度は６％向上できることがわかる。
以上より、本発明の効果は、明らかである。
【手続補正２３】
【補正対象書類名】明細書
【補正対象項目名】０２０７
【補正方法】変更
【補正の内容】
【０２０７】
すなわち、図１６（Ａ）、図２７に示した導光板１００を改良した本実施形態の導光板１００は、それぞれ、図２８（Ａ）、（Ｂ）に示すように、その光射出面１００ａに光学部材ユニット３２を収容可能な凹み１００ａ１を設けたものである。
なお、いずれのタイプにおいても、導光板１００の光射出面１００ａ並びに光入射面１００ｄ、１００ｅ以外の部分については、図２９（Ａ）〜（Ｃ）に示すように、表面側、背面側のいずれについても、導光板１００からの無用な光射出を防止するための、光反射フィルム等３４ａを貼り付けておくことが好ましい。
【手続補正２４】
【補正対象書類名】明細書
【補正対象項目名】０２０８
【補正方法】変更
【補正の内容】
【０２０８】
図２９（Ａ）は、図２８（Ａ）の丸印Ｇ部分の詳細を示す図、図２９（Ｂ），（Ｃ）は、図２８（Ｂ）の丸印Ｈ部分の詳細を示す図であり、いずれも、導光板１００の光射出面１００ａに設けた凹み１００ａ１の端部の詳細な形状の一例を示している。なお、図２９（Ｃ）の示すところは、上記凹み１００ａ１から導光板１００表面への形状変化にテーパ部１００ａ２を用いることで、ここでの角度の変化を極力小さく抑えるように配慮している点にある。
【手続補正２５】
【補正対象書類名】明細書
【補正対象項目名】０２１２
【補正方法】変更
【補正の内容】
【０２１２】
１０  液晶表示装置
１２  液晶表示パネル
１４  駆動ユニット
２０，１３０，３００  バックライトユニット
２４  照明装置本体
２４ａ，３０ａ  光射出面
２８  主光源
２９，３１０，３１２  副光源
３０  導光板
３０ｂ  第１傾斜面
３０ｃ  第２傾斜面
３０ｄ  第１光入射面
３０ｅ  第２光入射面
３０ｆ  第１側面（第３光入射面）
３０ｇ  第２側面（第４光入射面）
３０ｈ  湾曲部
３１  固定手段
３１ａ，２４０  固定部材
３１ｂ，３１ｃ，４６ａ，４６ｂ  ネジ
３１ｄ，３１ｅ，２３０，２３２，２３４，２３６，２３８，２４６，２４８  固定ピン
３２  光学部材ユニット
３２ａ  拡散シート
３２ｂ  プリズムシート
３２ｃ  拡散シート
３４  反射板
３４ａ  反射フィルム
３６  上部誘導反射板
３８  下部誘導反射板
４０  筐体
４２  下部筐体
４４  上部筐体
４６  補強部材
４７  バネ材
４８  すべり機構
４８ａ，４８ｄ  摺動部材固定部材
４８ｂ  上部摺動部材
４８ｃ  下部摺動部材
４９  電源収納部
５０  ＬＥＤチップ
５２  光源支持部
５２ａ  光源支持部上面
５２ｂ  光源支持部下面
５２ｃ，５２ｄ，５３  ネジ穴
５４  アレイ基板
５６  フィン
５８  発光面
６０ａ，６０ｂ，６１ａ  丸穴
６２ａ，６２ｂ，６２ｃ，６２ｄ，６２ｅ，７０ａ，７１ａ，７２ａ  長穴
６３ａ，６３ｂ  長穴
６４  ヒートシンク
６６  ヒートパイプ
７４，２２４  固定端
１００  導光板
１００ａ  光射出面
１００ａ１  凹み
１００ａ２  テーパ部
１００ｂ，１００ｃ  傾斜面
１００ｄ，１００ｅ  光入射面
１００ｈ  湾曲部
２１０ 上主光源
２１２ 下主光源
２１４ 第１固定手段
２１６ 第２固定手段
２１８ ガイド手段
２２０、２２２ 光源支持部
２２２ｃ ガイド溝
２２６、２２８ 第１補強部材
２４２、２４４ 第２補強部材
２５０、２６０、２７０ ガイド部材
２５２、２６２、２７２ 基部
２５４ バネ部材
２６４ プランジャ
２７４ バネ
２７６ リニアガイド
３１４，３１６ 第３固定手段
α  ２等分線
ｃ  光源と導光板の光軸距離
【手続補正２６】
【補正対象書類名】図面
【補正対象項目名】図８
【補正方法】変更
【補正の内容】
【図８】
2009117349.tif 000001
【手続補正２７】
【補正対象書類名】図面
【補正対象項目名】図１９
【補正方法】変更
【補正の内容】
【図１９】
2009117349.tif 000002
【手続補正２８】
【補正対象書類名】図面
【補正対象項目名】図２４
【補正方法】変更
【補正の内容】
【図２４】
2009117349.tif 000003
【手続補正２９】
【補正対象書類名】図面
【補正対象項目名】図２６
【補正方法】変更
【補正の内容】
【図２６】
2009117349.tif 000004